(57)【要約】  電力接触器（１）は、第１の電気接点（３）及び第２の電気接点（４）を備えている。電力接触器（１）は、更に、開位置及び閉位置を占めることができるスイッチング素子（５）を含み、スイッチング素子は、閉位置において第１の電気接点（３）と第２の電気接点（４）を互いに接触させ、スイッチング素子が開位置にある場合、第１の電気接点（３）と第２の電気接点（４）は互いに絶縁される。更に、電力接触器（１）は、電力接触器（１）に一体化された温度センサ（１２）を含み、温度センサ（１２）は、第１の電気接点（３）及び／又は第２の電気接点（４）から所定の距離における電力接触器（１）の温度を検出するように構成されている。【選択図】図２
2019533885.tif 000002
【特許請求の範囲】
【請求項１】
電力接触器（１）であって、
第１の電気接点（３）及び第２の電気接点（４）と、
開位置及び閉位置を占めることができるスイッチング素子（５）であって、前記閉位置において前記第１の電気接点（３）と前記第２の電気接点（４）を互いに接続し、前記開位置にある場合には前記第１の接点（３）と前記第２の接点（４）が互いに絶縁される、スイッチング素子（５）と、
前記第１の電気接点（３）及び／又は前記第２の電気接点（４）から所定の距離における前記電力接触器（１）の温度を検出するように構成された、前記電力接触器（１）に一体化された少なくとも１つの温度センサ（１２）と、
を含む電力接触器（１）。
【請求項２】
ハウジング体（１４）と、その内部に前記スイッチング素子（５）が少なくとも部分的に配置された接触室（１５）とを有する接触室装置（９）を含み、前記ハウジング体は前記接触室（１５）を少なくとも部分的に取り囲み、前記ハウジング体（１４）内に前記温度センサ（１２）が配置されている、請求項１に記載の電力接触器（１）。
【請求項３】
前記ハウジング体（１４）がセラミック材料を含むか、又は、セラミック材料から成る、請求項１又は２に記載の電力接触器（１）。
【請求項４】
前記ハウジング体（１４）が凹部（２９）を備え、前記温度センサ（１２）が前記凹部（２９）内に配置されている、請求項２又は３に記載の電力接触器（１）。
【請求項５】
前記接触室装置（９）の前記ハウジング体（１４）が、それを通じて前記第１の電気接点（３）が導かれる第１の開口部（２３）と、それを通じて前記第２の電気接点（４）が導かれる第２の開口部（２５）と、を有する底壁（２１）を備え、前記凹部（２９）は前記ハウジング体（１４）の前記底壁（２１）に配置されている、請求項４に記載の電力接触器（１）。
【請求項６】
前記接触室装置（９）の前記ハウジング体（１４）が側壁（２７）を備え、前記凹部（２９）は前記ハウジング体（１４）の前記側壁（２７）に配置されている、請求項４又は５に記載の電力接触器（１）。
【請求項７】
前記接触室装置（９）の前記ハウジング体（１４）が側壁（２７）及び底壁（２１）を含み、前記底壁（２１）は、それを通じて前記第１の電気接点（３）が導かれる第１の開口部（２３）と、それを通じて前記第２の電気接点（４）が導かれる第２の開口部（２５）と、を備え、
前記凹部（２９）は、前記底壁（２１）と前記側壁（２７）とが交わるエッジ領域に配置されている、請求項４〜６のいずれか１項に記載の電力接触器（１）。
【請求項８】
前記凹部（２９）は、三角形の底面を有するプリズム形状の凹部として形成されている、請求項２〜７のいずれか１項に記載の電力接触器（１）。
【請求項９】
前記温度センサ（１２）は、前記ハウジング体（１４）の材料と同じ又は類似の熱膨張係数を有し、従って前記ハウジング体（１４）の熱膨張に適合する接着剤によって、前記ハウジング体に取り付けられている、請求項２〜８のいずれか１項に記載の電力接触器（１）。
【請求項１０】
請求項３〜９のいずれか１項に記載の電力接触器（１）の接触室装置（９）のためのハウジング体（１４）を製造するための方法であって、前記接触室装置（９）のためのハウジング体グリーンボディがセラミック粉末の乾式プレスによって製造され、前記ハウジング体グリーンボディは前記温度センサ（１２）を受容するための前記凹部（２９）を既に備えており、前記ハウジング体グリーンボディは、続いて焼結される、方法。
【発明の詳細な説明】
【技術分野】
【０００１】
本発明は、電力接触器及び電力接触器用ハウジング体の製造方法に関する。
【背景技術】
【０００２】
電力接触器は、電気的に駆動される遠隔操作可能なスイッチである。電力接触器は、負荷回路をオン／オフすることのできる制御回路を有している。
【０００３】
電力接触器の可能な適用の一つは、電動車両におけるバッテリー回路の開路及び断路である。その際、通常は、バッテリーのプラス及びマイナスの接触部が共に、電力接触器を用いて断路される。断路は、車両が静止している状態において、及び、例えば事故などの障害の際に、行われる。その際、車両への給電を断ち、電流を遮断することが、電力接触器の主要な役割である。
【０００４】
電力接触器の内部の接触抵抗によって、電力接触器は加熱される。過度の加熱は、電力接触器の損傷を、最終的には故障をもたらす可能性がある。
【０００５】
一般に、電力接触器、導線及び固定手段の適切な設計が行われ、その結果、通常の作動において過度の加熱が生じる可能性はない。しかしながら、そのような設計によって阻止され得ない故障が発生する可能性がある。例えば、摩耗のため、電力接触器の内部に、小さな電流であっても既に高い加熱をもたらし得るような比較的高い接触抵抗が生じる可能性がある。そのような欠陥は、外部からは認識され得ない。
【発明の概要】
【発明が解決しようとする課題】
【０００６】
本発明の根底にある課題は、電力接触器の信頼性を高めることに寄与し、特に過熱による電力接触器の機能不全を確実に防止することに寄与する電力接触器を創作することである。更なる課題は、電力接触器の安価な製造を可能にする、電力接触器用ハウジング体の製造方法を創作することである。
【課題を解決するための手段】
【０００７】
最初に言及した課題は、第１の独立請求項の特徴によって解決される。第２の課題は、第２の独立請求項による方法によって解決される。本発明の有利な発展形態は、従属請求項において明らかにされる。
【０００８】
本発明は、第１の態様によれば、第１の電気接点と第２の電気接点とを備える電力接触器を特徴とする。電力接触器は、開位置及び閉位置を占めることができるスイッチング素子を含み、スイッチング素子は、閉位置において第１の電気接点と第２の電気接点とを互いに接触させ、スイッチング素子が開位置にある場合、第１の電気接点と第２の電気接点は互いに絶縁される。更に、電力接触器は、電力接触器に一体化された少なくとも１つの温度センサを含み、当該温度センサは、第１の電気接点及び／又は第２の電気接点から所定の距離における電力接触器の温度を検出するように構成されている。
【０００９】
温度センサの電力接触器への一体化は、電力接触器の幾何学的形状及び内部構造が変化せず、較正によって温度センサの出力温度から実際の接点温度を推測することができるため、電力接触器の温度の絶対値をも検出又は確定することができるという利点を有する。
【００１０】
温度センサの電力接触器への一体化によって、温度センサ及び電力接触器は単一の機能的ユニットを形成する。それらは、共に製作され、互いに適合するよう調整され得る。したがって、例えば、温度センサは、電力接触器の特定の温度挙動を考慮に入れることができるように較正され得る。更に、例えばバッテリー断路ユニット内における電力接触器及び温度センサの組み付けは、これらの部材がユニットとして共に組み付けられ得るために、大幅に簡略化される。
【００１１】
温度センサは、電力接触器と温度センサが空間的に直接的に近接して配置されている場合に、電力接触器に一体化されていると称することができる。特に、電力接触器及び温度センサは、共通のハウジングによって囲まれ、及び／又は、共通のハウジング内に配置され得る。したがって、温度センサは、ハウジングの外側に、及び／又は、電力接触器の１つ又は複数の外側接点に、配置又は固定される必要はない。
【００１２】
電力接触器及び電流センサは、共に製作され得る。電力接触器及び電流センサは、共通のユニットとして、ユーザに納入され得る。高いレベルの一体化を通じて、電流センサのための追加のスペースは殆ど必要とされない。それによって、一体化された電流センサを備える電力接触器は、とりわけ、非常に限られたスペースしか利用できない適用に際して、有利であり得る。
【００１３】
好ましくは、所定の距離は、１つ又は複数の電気接点からの熱拡散の時間が所定の時間を超えないように、及び／又は、例えば周囲への熱放散が低い、即ち所定の閾値を超えないように、及び／又は、熱放散が所定の精度で確定され且つ較正によって考慮され得るように、選択され得る。
【００１４】
第１の態様による有利な構成において、電力接触器は、ハウジング体及び接触室を有する接触室装置を含んでいる。接触室内には、スイッチング素子が少なくとも部分的に配置されている。ハウジング体は、接触室を少なくとも部分的に取り囲み、ハウジング体内には、温度センサが配置されている。これは、温度センサが熱源の近傍、特に電気接点の近傍に配置されるという利点を有する。電力接触器の温度は、短い遅延時間で測定することができる。遅延時間の短縮は、温度に依存する電力接触器の調整を簡略化することができるという更なる利点を有する。接触室内には、特に、スイッチング素子のコンタクトブリッジが配置されている。
【００１５】
第１の態様による更なる有利な構成において、ハウジング体は、セラミック材料を含むか、又は、セラミック材料から成っている。有利なことに、ハウジング体は、それによって高い温度安定性及び非常に良好な電気絶縁特性を有する。温度センサがセラミックのハウジング体に組み込まれていることにより、温度センサは、電力接触器の接点に印加される電位から分離されている。
【００１６】
第１の態様による更なる有利な構成において、ハウジング体は凹部を備え、温度センサは当該凹部内に配置されている。
【００１７】
第１の態様による更なる有利な構成において、接触室装置のハウジング体は底壁を備え、凹部は当該底壁に配置されている。この場合、底壁は、それを通じて第１の電気接点が導かれる第１の開口部と、それを通じて第２の電気接点が導かれる第２の開口部とを含んでいる。凹部を底壁に配置することにより、有利なことに、温度センサを接点の近傍に配置しつつも、電力接触器の電気接点からの温度センサの良好な電気的絶縁を保証することが可能となる。
【００１８】
第１の態様による更なる有利な構成において、接触室装置のハウジング体は側壁を備え、凹部は当該ハウジング体の側壁に配置されている。凹部を側壁に配置することにより、有利なことに、温度センサを熱源の直近に、特に電気接点の近傍に配置しつつも、電力接触器の電気接点からの温度センサの良好な電気的絶縁を保証することが可能となる。
【００１９】
第１の態様による更なる有利な構成において、接触室装置のハウジング体は、側壁及び底壁を含んでいる。凹部は、底壁と側壁が交わるエッジ領域に配置されている。底壁は、それを通じて第１の電気接点が導かれる第１の開口部と、それを通じて第２の電気接点が導かれる第２の開口部とを含んでいる。凹部をエッジ領域に配置することにより、有利なことに、第一に、温度センサを熱源の直近に配置しつつも、電力接触器の電気接点からの温度センサの良好な電気的絶縁を保証することが可能となる。更に、凹部をエッジ領域に配置することにより、ハウジング本体の安価な製造及び温度センサの簡単な取り付けが可能となる。特に、そのような配置は、特にセラミックグリーンボディの製造のために乾式プレスを利用する場合に、ハウジング体のためのセラミックグリーンボディの簡略化された信頼性のある製造を可能とする。
【００２０】
第１の態様による更なる有利な構成において、凹部は、三角形の底面を有するプリズム形状の窪みとして形成されている。
【００２１】
これは、ハウジング体の安価な製造及び温度センサの簡単な取り付けを可能とする。特に、そのような配置は、特にセラミックグリーンボディの製造のために乾式プレスを利用する場合に、ハウジング体のためのセラミックグリーンボディの簡略化された信頼性のある製造を可能とする。凹部は、非常に容易且つ正確に形成され得る。
【００２２】
更なる有利な構成において、温度センサは、ハウジング体の材料と同じ又は類似の熱膨張係数を有し、従ってハウジング体の熱膨張に適合する接着剤によって、ハウジング体に取り付けられている。これは、熱応力を回避又は少なくとも低減することができ、したがって、温度センサとハウジング体の間の接続の信頼性を高めることができるという利点を有する。
【００２３】
本発明は、第２の態様によれば、第１の態様による電力接触器の接触室装置のためのハウジング体を製造するための方法を特徴とする。
【００２４】
この場合、接触室装置のためのハウジング体グリーンボディは、セラミック粉末の乾式プレスによって製造され、ハウジング体グリーンボディは、温度センサを受容するための凹部を既に備えている。ハウジング体グリーンボディは、続いて焼結される。これは、ハウジング本体のためのネガティブプレス型が、凹部が乾式プレスの製造工程中にハウジング体グリーンボディに生成され、更なる製造工程において形成される必要がないように形成されており、特に隆起部を備えていることを意味する。有利なことに、これによって、温度センサを備えた電力接触器、特に電力接触器のためのハウジング体を、安価に製造することが可能となる。
【００２５】
本発明の実施例が、以下において、概略的な図面を参照して説明される。
【図面の簡単な説明】
【００２６】
【図１】電力接触器の一実施例を示す。
【図２】電力接触器の接触室装置の断面図である。
【図３ａ】接触室装置のハウジング体の一実施例の斜視図を示す。
【図３ｂ】接触室装置のハウジング体の一実施例の斜視図を示す。
【図３ｃ】接触室装置のハウジング体の一実施例の斜視図を示す。
【発明を実施するための形態】
【００２７】
同一の構造又は機能の要素には、全図において同一の参照符号が付与されている。
【００２８】
図１は、電力接触器の一実施例を示す。
【００２９】
電力接触器１は、スイッチング素子５及び接触室装置９を含んでいる。スイッチング素子５は、例えば、少なくとも１つのコイル６と、当該少なくとも１つのコイル６の内部に配置されたプランジャ（Stosel）７とを備えた磁気ドライブ、及び、可動のコンタクトブリッジ８を含んでいる。コイル６には、プランジャ７内に磁界を発生させるために外部から電圧を印加することができ、それによって、プランジャ７は、その長手軸に沿って軸方向に接触室装置９の方向へ移動可能である。コイル６及びプランジャ７は、好ましくは磁化可能なヨークの内部に配置されている。
【００３０】
接触室装置９は、第１の電気接点３と、第２の電気接点４と、ハウジング体１４と、接触室１５とを備えている。
【００３１】
スイッチング素子５、特にプランジャ７は、コイル６の通電に応じて、コンタクトブリッジ８が第１の電気接点３と第２の電気接点４を導電接続する第１の位置と、第１の電気接点３と第２の電気接点４が絶縁される第２の位置との間で、接触室装置９のコンタクトブリッジ８を切り替えるように配置され、形成されている。第１及び第２の電気接点３、４はそれぞれ、内側接点１６、１７及び外側接点１８、１９を備えている。
【００３２】
電力接触器１は、以下に例示するように複数の接触抵抗を有している。
・内側接点１６、１７の内側接触面１０と、可動のコンタクトブリッジ８と、の間の内部接触抵抗、及び／又は、
・外側接点１８、１９のうちの１つと、それに取り付けられた配線及び／又はワッシャ及び／又はスナップリングと、の間の第１の外部接触抵抗、及び／又は、
・電力接触器１の一部である外側接点１８、１９のうちの１つと、接続配線、例えば銅レールと、の間の第２の外部接触抵抗。
【００３３】
接触抵抗によって、電力接触器１は、作動中の通電の際に加熱される。過度の加熱は、電力接触器１の損傷を、最終的には故障をもたらす可能性がある。加熱の量は、通常、電力接触器１及びその導線並びに固定機構の適切な設計を通じて考慮される。しかしながら、外部からの影響が生じる可能性がある。例えば、振動に起因して、外側接点１８、１９のうちの１つへの導線の押し付け力が減少し、それによって比較的高い接触抵抗が生じる可能性があり、これは、小さな電流であっても高い加熱をもたらし得る。
【００３４】
更に、内部接触抵抗は、負荷及びそれに付随する内側接触面１０の焼損の下での反復的なスイッチオフによって、上昇する可能性がある。この効果は外部からは認識され得ない。
【００３５】
更に、付加的な加熱は、不適切な取り付けによって、例えば、電力接触器１の外部接点１８、１９のうちの１つへの電力ケーブルの不適切な外部取り付けに起因して、生じ得る。不適切な取り付けは、例えば、小さすぎるケーブルシュー、ワッシャの使用、及び／又は、小さすぎる配線断面によって、引き起こされる可能性がある。
【００３６】
電力接触器１は、大抵の場合、安全上の課題を満たすので、電力接触器１の温度の信頼できる監視が少なくとも望まれる。
【００３７】
電力接触器１の温度を検出するために、電力接触器１は、少なくとも１つの一体化された温度センサ１２を備えている。
【００３８】
図２は、接触室装置９の断面図を示している。
【００３９】
接触室装置９の接触室１５内には、ガスがあることが好ましい。接触室装置９は、例えば蓋と共に接触室１５を形成するハウジング体１４を含んでいる。
【００４０】
ハウジング体１４は、例えば、中空の直方体又は「桶」（Trog）の形状を有し、一方の側が開いている。ハウジング体１４は、例えば、底壁２１及び周囲を取り巻く側壁２７を備えている。ハウジング体１４は、セラミック材料、例えば酸化チタン又は酸化アルミニウムをベースとする材料を含むか、又は、それから成っている。ハウジング体１４は、好ましくは、乾式プレス法によって製造される。セラミック材料は、高温及びアーク放電に対して強く、酸化されず、良好な電気絶縁特性を有するという利点を有する。
【００４１】
ハウジング体１４は、開口部に沿って、例えば１つの周囲を取り巻くタップ（Spund）を備えている。接触室装置９のハウジング体１４の開口部に対向する底壁２１は、第１の開口部２３及び第２の開口部２５を備え、それらを通じて、第１の電気接点３及び第２の電気接点４が導かれる。
【００４２】
接触室装置９には、温度センサ１２が一体化されている。このために、ハウジング体１４は、好ましくは、温度センサ１２を受容するための凹部２９を備えている。
【００４３】
図３ａ〜３ｃは、それぞれ、接触室装置９のハウジング体１４の一実施例の斜視図を示している。
【００４４】
凹部２９は、例えば、底壁２１又は側壁２７に配置されている。代替的に、凹部２９は、底壁２１と周囲を取り巻く側壁２７とが交わるエッジ領域に配置されていてもよい。
【００４５】
凹部２９は、例えば、三角形の底面を有するプリズム形状の窪みを含んでいる。
【００４６】
温度センサ１２は、好ましくは接着によって、ハウジング体の凹部２９内に固定される。例えば、温度センサ１２は、ハウジング体の材料と同じ又は類似の熱膨張係数を有し、従ってハウジング体の熱膨張に適合する接着剤によって、ハウジング体に取り付けられる。ハウジング体は、例えば5×10-6 1/K〜9×10-6 1/Kの範囲の熱膨張係数を有することができ、接着剤は、例えば、2×10-6 1/K〜20×10-6 1/Kの範囲の熱膨張係数を有することができる。
【００４７】
温度センサ１２は、例えば、正の温度係数の抵抗を有する。
【符号の説明】
【００４８】
１          電力接触器
２          駆動ユニット
３          第１の電気接点
４          第２の電気接点
５          スイッチング素子
６          コイル
７          プランジャ
８          コンタクトブリッジ
９          接触室装置
１０        接続面
１２        温度センサ
１４        ハウジング体
１５        接触室
１６，１７  内側接点
１８，１９  外側接点
２１        底壁
２３        第１の開口部
２５        第２の開口部
２７        側壁
２９        凹部
【図１】
2019533885.tif 000003
【図２】
2019533885.tif 000004
【図３ａ】
2019533885.tif 000005
【図３ｂ】
2019533885.tif 000006
【図３ｃ】
2019533885.tif 000007
【国際調査報告】
2019533885.tif 000008
2019533885.tif 000009
2019533885.tif 000010
2019533885.tif 000011